(57)【要約】【課題】構造が簡素で軟水効率の良い軟水化手段を備えた冷蔵庫を提供する。【解決手段】冷蔵室３と冷凍室４と、前記冷蔵室３に配置され上面が開口した貯水タンク１３と前記貯水タンク１３本体開口部を覆うタンクカバー１２とで構成された給水タンク６と、前記タンクカバー１２の給水ポンプ７に水を送る吸入配管８の上流側に設けられた貯留部材１５と、前記貯留部材１５内に収納される浄水手段２０と軟水化手段２２と、前記冷凍室４に配置される製氷手段１０を備え、前記貯留部材１５内の前記軟水化手段２２は水の流れと垂直な断面の縦横比を略１：１の四角柱とすることにより、軟水化手段２２の外周面積が小さくなることで、壁面による通水抵抗が減り、軟水化手段２２内部の中央と壁面の流速の差が小さくなることで流れが均一化されるので、イオン交換樹脂の有効軟水化部分が増加し、軟水化手段２２を長寿命化することができる。【選択図】図２
2005201535.tif 000002
【特許請求の範囲】
【請求項１】
冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面の縦横比が略１：１の四角柱であることを特徴とする冷蔵庫。
【請求項２】
冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面が円形の円柱であることを特徴とする冷蔵庫。
【請求項３】
貯留部材上部にテーパを設けることを特徴とする請求項１または２に記載の冷蔵庫。
【請求項４】
軟水化手段内部に流水阻害部材を配置し、前記流水阻害部材は吐出口下方に位置することを特徴とする請求項１から３に記載の冷蔵庫。
【請求項５】
軟水化手段中央部はイオン交換樹脂を密に充填することを特徴とする請求項１から４に記載の冷蔵庫。
【発明の詳細な説明】
【技術分野】
【０００１】
本発明は、給水ポンプにより給水タンクから製氷手段に給水する製氷装置を備えた冷蔵庫に関するものである。
【背景技術】
【０００２】
従来、この種の冷蔵庫は、氷の白濁原因となるミネラルを除去し、透明度の高い氷を製氷するためにイオン交換機能部材が給水タンク内に取り付けられているものがある（例えば特許文献１参照）。
【０００３】
以下、図面を参照しながら上記従来の冷蔵庫を説明する。
【０００４】
図１２は、特許文献１に記載された従来の冷蔵庫を示すものである。図１２に示すよう冷蔵庫本体１０１は、断熱箱体により冷蔵室１０２及び冷凍室１０３を形成している。冷蔵室１０２には、給水タンク１０４と給水タンク１０４に近接して配置された給水ポンプ１０５と、給水ポンプ１０５出口と冷凍室１０３をつなぐ配管経路１０６と、冷凍室１０３内で配管経路１０６出口部に近接して配置された製氷皿１０７から構成されている。給水タンク１０４は、下部のタンク部１０８と上部のタンクカバー１０９から構成され、タンクカバ−１０９は開口した補水口１１０と補水口側に配置された軟水化装置１１１と、給水ポンプ１０５と連結する吸入配管路１１２と、下部がタンク１０８底面近傍に位置するように吸入配管路１１２入口に取り付けられた浄水化装置１１３から構成されている。
【０００５】
以上そのように構成された冷蔵庫について、以下その動作を説明する。
【０００６】
給水タンク１０４に給水するには、給水タンク１０４を冷蔵室１０２から取り出し、補水口１１０より水を給水タンク１０４に供給する。ここで、給水タンク１０４のタンクカバー１０９は取り外すことができ、タンクカバー１０９をはずすことによって、軟水化装置１１１が着脱できるようになる。補水口１１０に供給された水は軟水化装置１１１を通過することにより軟水化され、タンク部１０４に貯水される。貯水された給水タンク１０４は冷蔵室１０２に戻され、給水ポンプ１０５と接続される。製氷開始すると、給水ポンプ１０５が所定時間運転し、給水タンク１０４内の軟水化された水は浄水化装置１１３を通過することで浄化され、浄化された水は吸入配管路１１２を通過し、給水ポンプ１０５により配管経路１０６に吐出され、冷凍室１０３内の製氷皿１０７に供給される。製氷皿１０７に供給された水は冷凍室１０３の冷気によって凍結しはじめ、製氷が完了すると離氷を行い、再び給水ポンプ１０５を運転させ製氷皿１０７に給水して製氷を始める。
【特許文献１】特開２００２−４８４４５号公報
【発明の開示】
【発明が解決しようとする課題】
【０００７】
しかしながら、上記従来の構成では、軟水化装置の形状によって軟水化装置内部の水が吐出口に集中することで偏流が起こり、水の流動がないよどみ領域が発生し、イオン交換されない軟水化無効領域ができるという課題を有していた。
【０００８】
本発明は、上記従来の問題を解決するもので、軟水化無効領域が小さく軟水効率の良い軟水化手段を設けた透明製氷装置を備えた冷蔵庫を提供することを目的とする。
【課題を解決するための手段】
【０００９】
上記従来の課題を解決するために、本発明の冷蔵庫は、冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面の縦横比を略１：１の四角柱としたものである。
【００１０】
これによって、同断面積で断面が長方形のものと比べ軟水化手段の外周面積が小さくなることで壁面による通水抵抗が減り、軟水化手段内部の中央と壁面の流速の差が小さくなることで流れが均一化される。
【００１１】
また、本発明の冷蔵庫は、冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面が円形の円柱としたものである。
【００１２】
これによって、断面が正方形の四角柱と比べ軟水化手段の外周面積がさらに小さくなることにより、壁面による通水抵抗がさらに減り、軟水化手段内部の中央と壁面の流速の差もさらに小さくなることで流れが均一化される。
【発明の効果】
【００１３】
本発明の冷蔵庫は、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面の縦横比が略１：１の四角柱としたもので、貯留部材内の圧力損失が小さくなるとともにイオン交換樹脂の有効軟水化部分が増加し、イオン交換樹脂を長寿命化することができる。
【００１４】
また、本発明の冷蔵庫は、冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面が円形の円柱したもので、四角柱と比べ貯留部材内の圧力損失が小さくなるとともにイオン交換樹脂の有効軟水化部分が増加し、イオン交換樹脂をさらに長寿命化することができる。
【発明を実施するための最良の形態】
【００１５】
請求項１に記載の発明は、冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面の縦横比を略１：１の四角柱とすることにより、同断面積で断面が長方形のものと比べ軟水化手段の外周面積が小さくなることで壁面による通水抵抗が減り、軟水化手段内部の中央と壁面の流速の差が小さくなることで流れが均一化されるので、貯留部材内の圧力損失が小さくなるとともにイオン交換樹脂の有効軟水化部分が増加し、イオン交換樹脂を長寿命化することができる。
【００１６】
請求項２に記載の発明は、冷蔵室と冷凍室と、前記冷蔵室に配置され上面が開口した貯水タンクと前記貯水タンク本体開口部を覆うタンクカバーとで構成された給水タンクと、前記タンクカバーの給水ポンプに水を送る吸入配管の上流側に設けられた貯留部材と、前記貯留部材内に収納される浄水手段と軟水化手段と、前記冷凍室に配置される製氷手段を備え、前記貯留部材内の前記軟水化手段は水の流れと垂直な断面が円形の円柱とすることにより、断面が正方形の四角柱と比べ軟水化手段の外周面積がさらに小さくなることで壁面による通水抵抗がさらに減り、軟水化手段内部の中央と壁面の流速の差もさらに小さくなることで流れが均一化されるので、貯留部材内の圧力損失が小さくなるとともにイオン交換樹脂の有効軟水化部分が増加し、イオン交換樹脂をさらに長寿命化することができる。
【００１７】
請求項３に記載の発明は、請求項１または２に記載の発明の冷蔵庫を、貯留部材上部にテーパを設けることにより、水の流れに沿う形状となることで貯留部材上端部に発生するよどみ領域がなくなるので、イオン交換無効領域の不要なイオン交換樹脂をなくし低コスト化できる。
【００１８】
請求項４に記載の発明は、請求項１から３のいずれか一項に記載の発明の冷蔵庫において、軟水化手段内部に流水阻害部材を配置し、前記流水阻害部材は吐出口下方に位置することにより、壁面近傍と比べて流速の早い吐出口付近の流れを流水阻害部材で遅くすることにより壁面との流速の差をなくし、軟水化手段内の水の流れが均流化されるので、カートリッジ形状を変更することなくイオン交換樹脂の有効軟水化部分が増加し、イオン交換樹脂をさらに長寿命化することができる。
【００１９】
請求項５に記載の発明は、請求項１から３のいずれか一項に記載の発明の冷蔵庫を、軟水化手段中央部はイオン交換樹脂を密に充填することにより、壁面近傍と比べて流速の早い吐出口付近の流れをイオン交換樹脂を密に充填することで遅くすることにより壁面との流速の差がなくなり、軟水化手段内の水の流れが均流化されるので、イオン交換樹脂の充填のみでイオン交換樹脂の有効軟水化部分が増加し、イオン交換樹脂をさらに長寿命化することができる。
【００２０】
以下、本発明の実施の形態について、図面を参照しながら説明する。なお、この実施の形態によってこの発明が限定されるものではない。
【００２１】
（実施の形態１）
図１は本発明の実施の形態１おける冷蔵庫の要部断面図である。図２は、四角柱形状の貯留部材の縦断面図である。図３は、図２のＡ−Ａ断面図である。図４は貯留部材内の水の流れを示す縦断面図である。図５は円筒形状の貯留部材の縦断面図である。図６は、図５のＢ−Ｂ断面図である。図７は、上部にテーパを設けた貯留部材の縦断面図である。図８は流水阻害部材を設けた貯留部材の縦断面図である。図９は図８のＣ−Ｃ断面図、図１０は区画壁でイオン交換樹脂を区画した貯留部材の縦断面図である。図１１は図９のＤ−Ｄ断面図である。
【００２２】
図１から図３において、冷蔵庫１は仕切り壁２により、冷蔵室３と冷凍室４に区画されており、冷蔵室３と冷凍室４にかかるように製氷装置５が配置されている。製氷装置５は、冷蔵室３に配置された給水タンク６と給水タンク６近傍に配置された給水ポンプ７と、給水ポンプ７吸入口と給水タンク６内部をつなぐ吸入配管８と、給水ポンプ７吐出口と冷凍室４をつなぐ吐出配管９と、冷凍室４内の吐出配管９出口近傍に配置された製氷手段１０と、製氷手段１０と接続された駆動装置１１によって構成されている。給水タンク６は、上部の吸入配管８が貫通したタンクカバー１２と下部の貯水タンク１３と、吸入配管８出口近傍になるようタンクカバー１２に配置した突起状のタンクカバー固定部１４と、下部が貯水タンク１３底部近傍になるように配置され、上部を吸入配管８とタンクカバー１２の固定部１４に接続したＡ−Ａ断面の縦横比Ｘ：Ｙが１：１の貯留部材１５から構成されている。
【００２３】
貯留部材１５上部には上面中央に吐出口１６と吐出口１６近傍に配置されタンクカバー固定部１４と接続する貯留部材固定部１７と、吐出口１６外周に配置されたＯリング１８が配置されており、貯留部材１５内部には、底部からメッシュ形状で貯留部材１５と接続される保持部１９と、浄水手段２０と、下部フィルタ２１と、軟水化手段２２と、上部フィルタ２３が層状に順に配置されている。
【００２４】
図５と図６において、貯留部材１５はＢ−Ｂ断面が円形の円柱形状である。
【００２５】
図７において、貯留部材１５の上部には吐出口１６から貯留部材１５側面にかけて直線状のテーパ２４が設けられている。
【００２６】
図８と図９において、貯留部材１５内の軟水化手段２２内には、流水阻害部材２５が軟水化手段２２の中央部に配置されている。
【００２７】
図１０と図１１において、貯留部材１５内の軟水化手段２２内には、軟水化手段２２を中央部と壁面部に区画する区画壁２６が配置されており、区画壁２６内部は軟水化手段２２であるイオン交換樹脂の密度が高くなっている。
【００２８】
以上のように構成された冷蔵庫について以下その動作、作用を説明する。
【００２９】
冷蔵庫１の冷蔵室３に配置された給水タンク６は製氷装置５から着脱可能になっており、給水タンク６に給水の際は、給水タンク６を冷蔵庫１より取り出し、水を供給する。給水タンク６は、タンクカバー１２を貯水タンク１３から取り外すことができ、タンクカバー１２を外すことによってタンクカバー固定部１４と吸入配管８により固定された貯留部材１５の着脱が可能になる。貯留部材１５には、吸入配管８入口と吐出口１６の間から水漏れがないように密閉するためのＯリング１８が備えられ、貯留部材１５の吐出口１６を吸入配管８入口に差し込み水平方向に回転させることにより貯留部材１５の貯留部材固定部１７とタンクカバー固定部１４が引っ掛かり、貯留部材１５が密閉状態でタンクカバー１２に固定される。貯留部材１５を外す場合は、貯留部材１５を装着時とは反対方向に回してタンクカバー固定部１４と貯留部材固定部１７をはずし、吸入配管８より貯留部材１５の吐出口１６を引き抜く。
【００３０】
給水タンク６に水を供給し終えると、再び冷蔵庫１内の製氷装置５に取り付ける。製氷開始とともに、給水ポンプ７が一定時間稼働する。ここで、給水ポンプ７は給水タンク近傍としたが、給水タンク内に配置しても良い。貯水タンク１３内に貯えられた水は貯留部材１５の底面全体で均一に水を吸い上げ、吸い上げられた水は保持部１９と浄水手段２０を通過する。浄水手段２０に通水されると、浄水手段２０に含まれる活性炭の表面の微細孔によって、塩素や有機物が吸着されるので、カルキ臭やイオン交換樹脂の酸化劣化の原因となる塩素と有機物が除去される。
【００３１】
浄水手段２０を通過した水は、浄水手段２０と貯水タンク１３へイオン交換樹脂が洩れるのを防ぐために配置された下部フィルタを通過し、軟水化手段２２に通水される。軟水化手段２２にはイオン交換樹脂が充填されており通水することにより、イオン交換樹脂のイオン交換基が水に含まれるイオン価の高いＣａ、Ｍｇイオンなどの氷白濁の原因となるミネラルを吸着し、交換基に吸着していたＮａ、Ｈイオンを放出するため軟水化される。
【００３２】
軟水化手段２２を通過した水は、給水ポンプ７がイオン樹脂を吸入するのを防止するため配置された上部フィルタを通過し、脱塩素化、軟水化された水は吐出口１６より吸入配管８に吐出される。軟水化手段２２内の水の流動について、図４に示すように貯留部材１５の底面全体で均一に吸い上げられた水は、軟水化手段２２中央部では吐出口１６に向かって直線的に進み、壁面近傍では水は壁面による抵抗を受けるため、下流に進むにつれて中央部と比べ流速が遅くなるとともに中央の流速の速い流れに徐々に巻き込まれ、吐出口１６に向かうように水の流れが曲がっていく。そのため、貯留部材１５の上端部ではよどみ領域が発生し、よどみ領域では水の入れ替えが行われないため、よどみ領域の軟水化手段２２は軟水化されないイオン交換無効領域となる。
【００３３】
ここで、図２と図３のように軟水化手段２２が水の流れと垂直なＡ−Ａ断面の縦横比Ｘ：Ｙを１：１の四角柱とすると、同断面積で断面が長方形のものと比べ軟水化手段の外周面積が小さくなることで壁面による通水抵抗が減り、軟水化手段２２内部の中央と壁面の流速の差が小さくなるので中央の流速の速い流れに壁面の流れが巻き込まれにくくなる。
【００３４】
また、図５と図６のように軟水化手段が軟水化手段が水の流れと垂直なＢ−Ｂ断面が円形の円柱とすると、断面が正方形の四角柱と比べ軟水化手段の外周面積がさらに小さくなることにより、壁面による通水抵抗が減り、軟水化手段２２内部の中央と壁面の流速の差がさらに小さくなるので中央の流速の速い流れに壁面の流れが巻き込まれにくくなる。
【００３５】
また、図７のように貯留部材１５上部にテーパ２４を設けると、中央部に巻き込まれる水の流れに沿う形状となることで貯留部材１５上端部に発生するよどみ領域がなくなる。また、図８と図９のように軟水化手段２２内に流水阻害部材２５を吐出口１６の下方になるように配置することにより、壁面近傍と比べて流速の早い吐出口１６付近の流れをメッシュ構造のフィルタなどの流水阻害部材２５で遅くすることにより壁面との流速の差をなくし、軟水化手段２２内の水の流れを均流化する。
【００３６】
また、図１０と図１１のように、吐出口１６下方と壁面部を通水性のあるメッシュフィルタなどの区画壁で区画し、吐出口１６下方に位置する中央部のイオン交換樹脂を密に、壁面部を粗に充填することにより吐出口１６下方の通水抵抗を大きくなり、吐出口１６下方と壁面部の流速の差をなくし、軟水化手段２２内の水の流れを均流化する。貯留部材より吸入配管８に吐出された水は給水ポンプ７と吐出配管９を通過し、冷凍室４内の製氷手段１０に供給され、凍結しはじめる。
【００３７】
図示しないが、製氷中、氷を底面より凍結させながら駆動装置１１を利用して製氷手段を振動、揺動させることにより、強制的に水中の空気を未凍結の上面から大気へ放出し、氷の白濁原因となる空気の排出を行う。ここで、空気の排出方法として底面からの製氷と振動・揺動を使用したが、透明製氷の方法としてはこれに限定されるものではない。製氷が完了すると駆動装置１１が回転することによって製氷手段１０の氷が離氷され、再び製氷を行う。
【００３８】
以上のように実施の形態１においては、冷蔵室３と冷凍室４と、前記冷蔵室３に配置され上面が開口した貯水タンク１３と前記貯水タンク１３本体開口部を覆うタンクカバー１２とで構成された給水タンク６と、前記タンクカバー１２の給水ポンプ７に水を送る吸入配管８の上流側に設けられた貯留部材１５と、前記貯留部材１５内に収納される浄水手段２０と軟水化手段２２と、前記冷凍室４に配置される製氷手段１０を備え、前記貯留部材１５内の前記軟水化手段２２は水の流れと垂直な断面の縦横比を略１：１の四角柱とすることにより、同断面積で断面が長方形のものと比べ軟水化手段２２の外周面積が小さくなることで壁面による通水抵抗が減り、軟水化手段２２内部の中央と壁面の流速の差が小さくなることで流れが均一化されるので、貯留部材１５内の圧力損失が小さくなるとともにイオン交換樹脂の有効軟水化部分が増加し、イオン交換樹脂を長寿命化することができる。
【００３９】
また、本実施の形態では、冷蔵室３と冷凍室４と、前記冷蔵室３に配置され上面が開口した貯水タンク１３と前記貯水タンク１３本体開口部を覆うタンクカバー１２とで構成された給水タンク６と、前記タンクカバー１２の給水ポンプ７に水を送る吸入配管８の上流側に設けられた貯留部材１５と、前記貯留部材１５内に収納される浄水手段２０と軟水化手段２２と、前記冷凍室４に配置される製氷手段１０を備え、前記貯留部材１５内の前記軟水化手段２２は水の流れと垂直な断面が円形の円柱とすることにより、断面が正方形の四角柱と比べ軟水化手段２２の外周面積がさらに小さくなることで壁面による通水抵抗がさらに減り、軟水化手段２２内部の中央と壁面の流速の差もさらに小さくなることで流れが均一化されるので、貯留部材１５内の圧力損失が小さくなるとともにイオン交換樹脂の有効軟水化部分が増加し、イオン交換樹脂をさらに長寿命化することができる。
【００４０】
また、本実施の形態では、貯留部材１５上部にテーパを設けることにより、水の流れに沿う形状となることで貯留部材１５上端部に発生するよどみ領域がなくなるので、イオン交換無効領域の不要なイオン交換樹脂をなくし低コスト化できる。
【００４１】
また、本実施の形態では、軟水化手段内部に流水阻害部材を配置し、前記流水阻害部材は吐出口下方に位置することにより、壁面近傍と比べて流速の早い吐出口１６付近の流れを流水阻害部材２５で遅くすることにより壁面との流速の差がなくなり、軟水化手段２２内の水の流れが均流化されるので、貯留部材１５形状を変更することなくイオン交換樹脂の有効軟水化部分が増加し、イオン交換樹脂をさらに長寿命化することができる。
【００４２】
また、本実施の形態では、軟水化手段２２中央部はイオン交換樹脂を密に充填することにより、壁面近傍と比べて流速の早い吐出口１６付近の流れをイオン交換樹脂を密に充填することで遅くすることにより壁面との流速の差がなくなり、軟水化手段２２内の水の流れが均流化されるので、イオン交換樹脂の充填のみでイオン交換樹脂の有効軟水化部分が増加し、イオン交換樹脂をさらに長寿命化することができる。
【産業上の利用可能性】
【００４３】
以上のように本発明にかかる冷蔵庫は、簡易な構造で水中のミネラルと塩素の除去が可能となるので、飲用水や調理用の軟水器等の用途にも適用できる。
【図面の簡単な説明】
【００４４】
【図１】本発明の実施の形態１による冷蔵庫の要部断面図
【図２】同実施の形態の四角柱形状の貯留部材の縦断面図
【図３】同実施の形態の図２のＡ−Ａ断面図
【図４】貯留部材内の水の流れを示す縦断面図
【図５】同実施の形態の円筒形状の貯留部材の縦断面図
【図６】同実施の形態のＢ−Ｂ断面図
【図７】同実施の形態の上部にテーパを設けた貯留部材の縦断面図
【図８】同実施の形態の流水阻害部材を設けた貯留部材の縦断面図
【図９】同実施の形態の図７のＣ−Ｃ断面図
【図１０】同実施の形態の区画壁でイオン交換樹脂を区画した貯留部材の縦断面図
【図１１】同実施の形態のＤ−Ｄ断面図
【図１２】従来の冷蔵庫の要部断面図
【符号の説明】
【００４５】
１    冷蔵庫
３    冷蔵室
４    冷凍室
６    給水タンク
７    給水ポンプ
８    吸入配管
１０    製氷手段
１２    タンクカバー
１３    貯水タンク
１５    貯留部材
２０    浄水手段
２２    軟水化手段
２４    テーパ
２５    流水阻害部材
【図１】
2005201535.tif 000003
【図２】
2005201535.tif 000004
【図３】
2005201535.tif 000005
【図４】
2005201535.tif 000006
【図５】
2005201535.tif 000007
【図６】
2005201535.tif 000008
【図７】
2005201535.tif 000009
【図８】
2005201535.tif 000010
【図９】
2005201535.tif 000011
【図１０】
2005201535.tif 000012
【図１１】
2005201535.tif 000013
【図１２】
2005201535.tif 000014